(57)【要約】【課題】ランプセットを挿入、引き出しし易い、リード線を傷つきにくい、液晶表示装置を提供する。【解決手段】液晶セル３と、前記液晶セル３が配置された枠体６と、前記液晶セル３の下方に配置された導光板８と、前記導光板８の側面に対して平行に配置される線状ランプ１３と、前記線状ランプ１３の両端を支持する第１ホルダ１１および第２ホルダ１２と、前記線状ランプ１３を覆い、かつ前記第１ホルダ１１および前記第２ホルダ１２を支持するランプリフレクタ１７とを備え、前記第１ホルダ１１および前記第２ホルダ１２の各側部４３は前記導光板８の側面１９の長手方向に対して均一に凸状の曲面が形成され、前記導光板８の側面１９と前記曲面４３が当接し、又は、近接する様に構成した。【選択図】図５
2006154360.tif 000002
【特許請求の範囲】
【請求項１】
液晶セルと、前記液晶セルの下方に配置された導光板と、前記導光板の側面に対して平行に配置される線状ランプと、前記線状ランプの両端を支持する第１ホルダおよび第２ホルダと、前記線状ランプを一部覆い、かつ前記第１ホルダおよび前記第２ホルダを支持するランプリフレクタとを備え、前記第１ホルダおよび前記第２ホルダの各側部は、凸状の曲面が形成され、前記導光板の平坦な側面と前記曲面が当接し、又は、近接する様に構成した事を特徴とする液晶表示装置。
【請求項２】
前記線状ランプの１端を支持する前記第１ホルダにおいて、長手方向に延在する中空の突出部を設け、前記ランプリフレクタの断面はコ字状の１方の角を直線で面取りした形状であり、前記面取りした部分に前記突出部を配置し、端が前記線状ランプの１端に設けられた電極に接続されたリード線は前記突出部の中空部分を通り、前記ランプリフレクタの外側に沿って、前記線状ランプの他端近傍まで延在する様に構成した事を特徴とする請求項１の液晶表示装置。
【請求項３】
前記液晶セルが載置される枠部を有する枠体を設け、前記枠部の下方に位置し、かつ前記導光板が載置される裏板を設け、前記突出部を有する前記第１ホルダと、前記第２ホルダと、前記線状ランプと、前記ランプリフレクタと、前記リード線を少なくとも有するランプセットを設け、前記導光板と前記裏板とに位置決め手段を設け、前記裏板の水平部と、前記裏板の垂直部と、前記枠部の裏面と、前記導光板の側面に囲まれた空間に、前記ランプセットが収納される事を特徴とする請求項２の液晶表示装置。
【請求項４】
前記第１ホルダおよび前記第２ホルダにおいて、前記導光板に近接する位置にあり、かつ前記線状ランプの長手方向に対して直角な方向に位置する角が面取りされている事を特徴とする請求項１の液晶表示装置。
【発明の詳細な説明】
【技術分野】
【０００１】
本発明は液晶表示装置に関する。
【背景技術】
【０００２】
従来、この種の装置は例えば特許文献１に示されている。この特許文献１の図１と図２によると、ランプリフレクタ７と、ランプ部５と、ランプラバー６からなるランプユニット１と、ランプユニット１を保持するフレーム２とが示されている。このランプユニット１は、フレーム２に設けられた中空部に挿入され、又は、引き出しされる様に構成されている。
【特許文献１】特開２００１−２８１６５８号公報
【発明の開示】
【発明が解決しようとする課題】
【０００３】
上記装置では、導光板３の側面と、ランプラバー６とが、全面で当接している。そのため、ある程度の時間が経過すると、両者が固着し、作業者がランプユニット１を引き出しにくい、第１の欠点がある。更に、光漏れを減らすために、ランプユニット１とフレーム２とのクリアランスを小さくするならば、導光板３の側面とランプラバーの側面が密着する。そのため、両者間の摩擦力により、ランプユニット１を挿入しにくい、第２の欠点がある。
【０００４】
また、上記装置では図示されていないが、１端がランプ部５の電極に接続され、ランプラバー６を貫通し、横方向に延びた後に長手方向に曲げられ、ランプリフレクタの外側に延在するリード線が必要となる。ランプユニット１を着脱する時に、横方向から延び長手方向に曲げられた部分のリード線が、フレーム部２の中空部の内壁と、ランプリフレクタに挟まれて、傷がつく、第３の欠点がある。
【０００５】
そこで、本発明はこの様な従来の欠点を考慮し、ランプセットを挿入、引き出しし易いリード線が傷つきにくい、液晶表示装置を提供する。
【課題を解決するための手段】
【０００６】
上記課題を解決するために、請求項１の本発明では、液晶セルと、前記液晶セルの下方に配置された導光板と、前記導光板の側面に対して平行に配置される線状ランプと、前記線状ランプの両端を支持する第１ホルダおよび第２ホルダと、前記線状ランプを一部覆い、かつ前記第１ホルダおよび前記第２ホルダを支持するランプリフレクタとを備え、前記第１ホルダおよび前記第２ホルダの各側部は、凸状の曲面が形成され、前記導光板の平坦な側面と前記曲面が当接し、又は、近接する様に構成した。
【０００７】
請求項２の本発明では、前記線状ランプの１端を支持する前記第１ホルダにおいて、長手方向に延在する中空の突出部を設け、前記ランプリフレクタの断面はコ字状の１方の角を直線で面取りした形状であり、前記面取りした部分に前記突出部を配置し、端が前記線状ランプの１端に設けられた電極に接続されたリード線は前記突出部の中空部分を通り、前記ランプリフレクタの外側に沿って、前記線状ランプの他端近傍まで延在する様に構成した。
【０００８】
請求項３の本発明では、前記液晶セルが載置される枠部を有する枠体を設け、前記枠部の下方に位置し、かつ前記導光板が載置される裏板を設け、前記突出部を有する前記第１ホルダと、前記第２ホルダと、前記線状ランプと、前記ランプリフレクタと、前記リード線を少なくとも有するランプセットを設け、前記導光板と前記裏板とに位置決め手段を設け、前記裏板の水平部と、前記裏板の垂直部と、前記枠部の裏面と、前記導光板の側面に囲まれた空間に、前記ランプセットが収納されることを特徴とする請求項２の液晶表示装置。
【０００９】
請求項４の本発明では、前記第１ホルダおよび前記第２ホルダにおいて、前記導光板に近接する位置にあり、かつ前記線状ランプの長手方向に対して直角な方向に位置する角が面取りされている。
【発明の効果】
【００１０】
請求項１の本発明では、液晶セルと、液晶セルの下方に配置された導光板と、導光板の側面に対して平行に配置される線状ランプと、線状ランプの両端を支持する第１ホルダおよび第２ホルダと、線状ランプを一部覆い、かつ第１ホルダおよび第２ホルダを支持するランプリフレクタとを備え、第１ホルダおよび第２ホルダの各側部は、凸状の曲面が形成され、導光板の平坦な側面と前記曲面が当接し、又は、近接する様に構成した。この様に、第１ホルダおよび第２ホルダの各側部は凸状の曲面が形成されている。その結果、第１ホルダおよび第２ホルダの各側部は、導光板の側面に部分的に当接し又は近接する。故に、従来の様に、両者が固着する事が少なく、ランプセットを容易に引き出すことができる。
【００１１】
請求項２の本発明では、線状ランプの１端を支持する第１ホルダにおいて、長手方向に延在する中空の突出部を設け、ランプリフレクタの断面はコ字状の１方の角を直線で面取りした形状であり、面取りした部分に突出部を配置し、端が線状ランプの１端に設けられた電極に接続されたリード線は突出部の中空部分を通り、ランプリフレクタの外側に沿って、線状ランプの他端近傍まで延在する様に構成した。この様に、第１ホルダの長手方向に設けられた中空部分にリード線を通し、ランプリフレクタの外側に沿って延在させるので、リード線が、ランプリフレクタと挿入部分の内壁との間に挟まれることがなく、リード線は傷つかない。また突出部は、ランプリフレクタの面取りした部分に配置されるので、ランプリフレクタの外形が従来より大きくならない。
【００１２】
請求項３の本発明では、液晶セルが載置される枠部を有する枠体を設け、枠部の下方に位置し、かつ導光板が載置される裏板を設け、突出部を有する第１ホルダと、第２ホルダと、線状ランプと、ランプリフレクタと、リード線を少なくとも有するランプセットを設け、導光板と裏板とに位置決め手段を設け、裏板の水平部と、裏板の垂直部と、枠部の裏面と、導光板の側面に囲まれた空間に、ランプセットが収納される。この様に、導光板と裏板とに位置決め手段を設ける事により、導光板の側面と、裏板の垂直部との距離は所定値が維持できる。その結果、上記側面と上記垂直部とに囲まれた空間に挿入されるランプセットは、その空間とのクリアランスが所定値に維持される。故に、ランプセットは上記空間に、容易に挿入引出しがなされる。
【００１３】
請求項４の明では、第１ホルダおよび第２ホルダにおいて、導光板に近接する位置にあり、かつ線状ランプの長手方向に対し直角な方向に位置する角が面取りされている。この様に構成する事により、ランプセットを挿入、引き出しする時に、第１ホルダの角および第２ホルダの角が導光板の角に当接することがない。その結果、ランプセットを更に容易に挿入、引出しができる。
【発明を実施するための最良の形態】
【００１４】
以下に、図１ないし図８に従い、本発明を実施するための最良の形態に係る液晶表示装置１を説明する。図１は液晶表示装置１の分解斜視図、図２は液晶表示装置１に用いられる枠体等の斜視図、図３は上記枠体等の要部斜視図、図４は液晶表示装置１に用いられるランプセットの斜視図である。図５は図１のＡ−Ａ断面図、図６は図５のＢ−Ｂ断面図、図７は液晶表示装置１に用いられる第２ホルダの背面図、図８は上記第２ホルダの底面図である。
【００１５】
図１に示す様に、前面枠２は例えば金属板等からなり、上方（Ｚ２方向）に開口部が形成され、下方（Ｚ１方向）に４個の折り曲げ部が形成されたものである。
【００１６】
液晶セル３は例えば、素子基板と、対向基板との間に液晶を挟持してなる。素子基板は横方向（Ｘ１−Ｘ２方向）に延存する複数の走査線と、縦方向（Ｙ１−Ｙ２方向）に延在する複数のデータ線が形成されている。対向基板には、Ｒ，Ｇ，Ｂのカラーフィルタが設けられ、そのカラーフィルタに接続して、共通電極が設けられている。以上の部品により液晶セル３は構成されている。
【００１７】
データ駆動回路を実装したＴＣＰ４（Ｔａｐｅ  Ｃａｒｒｉｅｒ  Ｐａｃｋａｇｅ）の出力端子は、液晶セル３のデータ線に接続されている。ＴＣＰ４の入力端子は、回路基板５に接続されている。走査駆動回路（図示せず）は、液晶セル３の走査線に接続されている。
【００１８】
枠体６は例えばプラスチックからなり、略額縁状に形成されている。即ち、Ｚ２方向に開口部が形成され、Ｚ１方向に４個の側部が形成されている。シート類７は例えば４枚のシートからなり、各シートはプリズム効果または拡散効果を有する。
【００１９】
導光板８は例えばアクリル樹脂等からなり、略直方体状のものである。導光板８の４隅は切り欠かれている。ランプセットおよび他のランプセット（共に後述）に対向する導光板８の２つの側面は平面状（切り欠きや、凹凸がないこと）に形成されている。
【００２０】
図４に示す様に、ランプセット９は例えば、突出部１０を有する第１ホルダ１１と、第２ホルダ１２と、線状ランプ１３と、リード線１４と、他のリード線１５と、コネクタ１６と、ランプリフレクタ１７等からなる。
【００２１】
ランプリフレクタ１７は例えばアルミニウム板などからなり、その内側面に銀蒸着などの反射シートを貼り付けられたものである。図５に示す様に、ランプリフレクタ１７の断面はコ字状の１方の角を直線で面取りした形状である。
【００２２】
第１ホルダ１１は例えばシリコンゴム等からなり、その外形がランプリフレクタ１７の内側面に係合する様に形成されている。第１ホルダ１１のＺ２方向には、突起が形成されランプリフレクタ１７のＺ２方向には、孔が形成されている（図１参照）。上記突起が上記孔に挿入される事により、第１ホルダ１１はランプリフレクタ１７に対し、位置決めされている。
【００２３】
この様にして、第１ホルダ１１はランプリフレクタ１７により支持されている。第１ホルダ１１のＸ１−Ｘ２方向には、孔が形成され、線状ランプ１３の１端近傍は上記孔に挿入、固定されている。
【００２４】
第２ホルダ１２は例えばシリコンゴム等からなり、その外形がランプリフレクタ１７の内側面に係合する様に形成されている。第２ホルダ１２のＺ２方向には、突起が形成されランプリフレクタ１７のＺ２方向には、孔が形成されている（図１参照）。上記突起が上記孔に挿入される事により、第２ホルダ１２はランプリフレクタ１７に対し、位置決めされている。
【００２５】
この様にして、第２ホルダ１２はランプリフレクタ１７により支持されている。第２ホルダ１２のＸ１−Ｘ２方向には、孔が形成され、線状ランプ１３の他端近傍は上記孔に挿入、固定されている。第２ホルダ１２の手前側には、突起部１８が形成されている（図１と図７と図８を参照）。
【００２６】
線状ランプ１３は例えば冷陰極管であり、直径が約２ｍｍで、長さが約２２５ｍｍの細長い直管である。この様に、ランプセット９において、導光板８の側面１９に対して、平行になる様に配置される線状ランプ１３が設けられている。
【００２７】
また、ランプセット９において、線状ランプ１３の両端を支持する第１ホルダ１１および第２ホルダ１２が設けられている。更に、線状ランプ１３を覆い、かつ、第１ホルダ１１および第２ホルダ１２を支持するランプリフレクタ１７が設けられている。
【００２８】
第１ホルダ１１の長手方向（Ｚ１−Ｚ２）に延在する突出部１０が形成されている（図１と図４を参照）。突出部１０には、中空部分２０が形成されている（図５を参照）。
【００２９】
図６に示す様に、第１ホルダ１１において、線状ランプ１３の電極２０ａの近傍に空洞部２１が形成されている。この空洞部２１と、中空部分２０は連通している。
【００３０】
リード線１４の１端近傍では、絶縁被膜が外され、導電体が露出し、半田等により、この導電体と、リード線１４の電極２０ａは接続されている（図６参照）。
【００３１】
図５に示す様に、ランプリフレクタ１７が収納された場合、第１ホルダ１１は奥側に位置する。この第１ホルダ１１には、中空の突出部１０が設けられている。
【００３２】
ランプリフレクタ１７の面取りした部分２５に、上記突出部１０が位置する様に、第１ホルダ１１は形成されている。１端が線状ランプ１３の電極２０ａに接続されたリード線１４は、空洞部２１と、突出部１０の中空部分２０を通る（図５参照）。
【００３３】
図１に示す様に、ランプリフレクタ１７の外側（即ち、面取りした部分２５）に沿って手前側まで延在する。リード線１４は更に、第２ホルダ１２に形成された孔２２と孔２３を通り（図７と図８を参照）、その他端はコネクタ１６の第１ピン（図示せず）に接続されている。
【００３４】
他のリード線１５の１端は、第２ホルダ１２内に位置する線状ランプ１３の他の電極に接続され、その途中は、第２ホルダ１２に形成された孔２４（図８参照）を通る。他のリード線１５の他端は、コネクタ１６の第２ピン（図示せず）に接続されている。以上の部品により、ランプセット９は構成されている。
【００３５】
図１に示す様に、他のランプセット２６はランプセット９と同様に、突出部１０を有する第１ホルダ１１ａと、第２ホルダ１２ａと、線状ランプ１３（共に図示せず）と、リード線１４と、他のリード線１５と、コネクタ１６と、ランプリフレクタ１７ａ等からなる。
【００３６】
上記線状ランプ１３と、リード線１４と、他のリード線１５と、コネクタ１６は、ランプセット９に用いられた各部品と同一である。第１ホルダ１１ａと、第２ホルダ１２ａと、ランプリフレクタ１７ａは、中心線（Ｘ１−Ｘ２）に対し、各々、第１ホルダ１１と、第２ホルダ１２と、ランプリフレクタ１７を線対称とした形状に形成されている。
【００３７】
また、他のランプセット２６において、線状ランプ１３の両端を支持する第１ホルダ１１ａおよび第２ホルダ１２ａが設けられている。更に、線状ランプ１３を覆い、かつ、第１ホルダ１１ａおよび第２ホルダ１２ａを支持するランプリフレクタ１７ａが設けられている。線状ランプ１３は、導光板８の側面２７に対して平行に配置されている。
【００３８】
ランプリフレクタ１７ａが収納された場合、第１ホルダ１１ａは奥側に位置する。この第１ホルダ１１ａには、中空の突出部１０ａが設けられている。ランプリフレクタ１７ａの面取りした部分に、上記突出部１０ａが位置する様に、第１ホルダ１１ａは形成されている。１端が線状ランプ１３の電極２０に接続されたリード線１４は、空洞部２１ａと、突出部１０ａの中空部分２０ａを通る。
【００３９】
図１に示す様に、リード線１４は、ランプリフレクタ１７ａの外側に沿って手前側まで延在する。リード線１４は更に、第２ホルダ１２ａに形成された孔を通り、その他端はコネクタ１６の第１ピン（図示せず）に接続されている。
【００４０】
他のリード線１５の１端は、第２ホルダ１２ａ内に位置する線状ランプ１３の他の電極に接続され、その途中は、第２ホルダ１２ａに形成された孔を通る。他のリード線１５の他端は、コネクタ１６の第２ピン（図示せず）に接続されている。以上の部品により、他のランプセット２６は構成されている。
【００４１】
図１に示す通り、反射シート２８は導光板８の下方に配置されている。裏板２９は例えば金属板等からなり、底面３０と、水平部３１と、水平部３２と、垂直部３３，３４，３５，３６等から構成されている。
【００４２】
水平部３１は、底面３０のＹ２方向に位置し、底面３０よりも下方（Ｚ１方向）に位置する様に形成されている（図５参照）。水平部３２は底面３０のＹ１方向に位置し、底面３０よりも下方に位置する様に形成されている。
【００４３】
垂直部３３は水平部３１を折り曲げて形成され、垂直部３５は水平部３２を折り曲げて形成されている。垂直部３４，３６は各々、底面３０を折り曲げて形成されている。
【００４４】
図１に示す様に、裏蓋３７は例えば金属板からなり、上方（Ｚ２方向）が開放され、略箱状に形成されている。なお、上述した様に、液晶セル３と、液晶セル３が配置された枠体６と、液晶セル３の下方に配置された導光板８等が設けられている。
【００４５】
次に、再び図１ないし図８に従い、液晶表示装置１の特徴的な構成を詳細に述べる。図１に示す様に、導光板８のＸ２方向の側面には、Ｘ２方向に、引っ込んだ凹部３８が形成されている。凹部３８の隣には、Ｘ２方向に突出した２個の凸部３９、４０が形成されている。導光板８のＸ１方向にも同様に、１個の凹部３８ａと、２個の凸部３９ａ，４０ａ（共に図示せず）が形成されている。
【００４６】
裏板２９の垂直部３６の適所には、立ち上がり部４１が形成され、垂直部３４の適所には、立ち上がり部４１ａ（図示せず）が形成されている。
【００４７】
凹部３８の長さ（Ｙ１−Ｙ２方向）は、立ち上がり部４１の長さ（ＹＩ−Ｙ２方向）よりも、約０．０５ｍｍだけ長くなる様に形成されている。凹部３８ａの長さ（Ｙ１−Ｙ２方向）は、立ち上がり部４１ａの長さ（ＹＩ−Ｙ２方向）よりも、約０．０５ｍｍだけ長くなる様に形成されている。
【００４８】
導光板８が反射シート２８を介して、裏板２９上に配置された時、立ち上がり部４１，４１ａは各々、凹部３８，３８ａに挿入される。その結果、導光板８は裏板２９に対し、Ｙ１−Ｙ２方向に位置決めされる。
【００４９】
この時、凸部３９の外面および凸部４０の外面は、垂直部３６の内面に略当接される。また、凸部３９ａの外面および凸部４０ａの外面は、垂直部３４の内面に略当接される。その結果、導光板８は裏板２９に対し、Ｘ１−Ｘ２方向に位置決めされる。上述した部分３８，３９，４０，４１および部分３８ａ，３９ａ，４０ａ，４１ａにより、位置決め手段が構成されている。
【００５０】
その結果、図５に示す様に、導光板８の側面１９と、裏板２９に形成された垂直部３３の内面との距離Ｃは、所定値（例えば、５ｍｍ）に維持される。図５に示す様に、裏板２９の底面３０上に反射シート２８は配置（例えば、貼り付け）されている。ランプリフレクタ１７の底部は、反射シート２８と、裏板２９の水平部３１との隙間に配置されている。
【００５１】
第１ホルダ１１に形成された突出部１０の外形は、略半円状に形成されている。上記外形は、水平部３１の内面と隙間を設ける様に、かつ、垂直部３３の内面と隙間を設ける様に、配置されている。
【００５２】
ランプセット９における長さＥ（図５参照）は、ランプリフレクタ１７の左側部の外面と、第１ホルダ１１に形成された側部４３の最も突出した面までの距離である。例えば、長さＥは、基準値が４．８ｍｍであり、公差は±０．１ｍｍである。上記公差とは、各部品を組み立てた時、ランプセット９における長さＥの寸法のばらつきの事である。即ち、長さＥは、４．７〜４．９ｍｍの範囲にある。
【００５３】
ランプリフレクタ１７の左側部の外面と、垂直部３３の内面との距離を、クリアランスＤと呼ぶ。ランプリフレクタ１７の左側部が垂直部３３に当接した時が、クリアランスＤの最小値であり、Ｄはゼロである。この時、側部４３と、導光板８の側面１９との隙間は（０．１〜０．３）ｍｍである。
【００５４】
また、第１ホルダ１１の側部４３が導光板８の側面１９に当接し、かつ、長さＥが最小（即ち、４．７ｍｍ）の時が、クリアランスＤの最大値であり、Ｄは０．３ｍｍである。即ち、クリアランスＤは（０〜０．３）ｍｍの範囲である。また、ランプリフレクタ１７の上部と、枠体６の底部４２との間には、隙間が設けられている。この様に、図５において、クリアランスＤは０．３ｍｍである。
【００５５】
第１ホルダ１１の側部４３は、導光板８の側面１９の長手方向（Ｘ１−Ｘ２方向）に対して均一に、凸状の曲面が形成されている。導光板８の側面１９と、第１ホルダ１１の側部４３（曲面）は当接している。すなわち、図５の断面図で見れば、両者は１点で接している。
【００５６】
また、作業者がランプセット９を挿入した時に、仮に、ランプセット１７の左側部の外面と、垂直部３３の内面とが当接したとする（クリアランスＤはゼロ）。そして、長さＥが最小（４．７ｍｍ）であったとする。この時、導光板８の側面１９と、第１ホルダ１１の側部４３の最も突出した部分（即ち、Ｙ１方向に最も突出した点）との距離は、０．３ｍｍとなる。この時、上記側面１９と上記側部４３との隙間による光漏れ量は、実用上、支障がない程度である。
【００５７】
上述した様に、導光板８の側面１９と、第１ホルダ１１の側部（曲面）４３は当接し、または、近接する様に構成されている。なお、第１ホルダ１１の曲面４３は、断面形状（図５参照）が円弧である事が望ましい。
【００５８】
例えば、曲面４３は半径が４．７ｍｍの円弧に形成されている。導光板８の厚さは４ｍｍである。
【００５９】
本発明者の実験によれば、第１ホルダ１１に形成された曲面４３の円弧の半径は、導光板８の厚さの１倍以上から３倍以内が望ましい事が分かった。クリアランスＤがゼロであり、かつ上記円弧の半径が１倍未満の場合は、側部４３の上部と、導光板８の側面１９との隙間および、側部４３の下部と導光板８の側面１９との隙間が大きくなり過ぎるからである。そのため、この隙間からの光漏れ量は、実用上支障の有る程度となる。
【００６０】
また、クリアランスＤが０．３ｍｍであり、かつ上記円弧の半径が３倍を越える場合は、作業者がランプセット９を挿入する時、Ｙ１方向に片寄った場合、第１ホルダ１１の側部４３の曲面と、導光板８の側面１９との接触面積が増えるからである。そのため、両者の摩擦力により、ランプセット９の挿入と引き出し作業が困難となる。
【００６１】
同様に、ランプセット９を構成する第２ホルダ１２と、他のランプセット２６を構成する第１ホルダ１１ａおよび第２ホルダ１２ａの各側部は各々、導光板８の側面１９，２７に対して均一に、凸状の曲面が形成されている。
【００６２】
そして、導光板８の側面１９と、第２ホルダ１２の曲面は当接し、又は、近接する様に構成されている。また、導光板８の側面２７と、第１ホルダ１１ａの曲面および第２ホルダ１２ａの曲面は当接し、又は近接している。
【００６３】
更に、第２ホルダ１２の曲面と、第１ホルダ１１ａの曲面と、第２ホルダ１２ａの曲面は、断面形状が円弧である事が望ましい。
【００６４】
上述した様に、裏板２９の水平部３１と、裏板２９の垂直部３３と、枠体６の底部４２と、導光板８の側面１９とにより囲まれた空間４４が構成される。
【００６５】
また、導光板８の凹部３８と、凸部３９，４０と、裏板２９の立ち上がり部４１とにより、位置決め手段が構成されている。その結果、裏板２９に対し、導光板８はＹ１−Ｙ２方向に位置決めされ、距離Ｃは所定値が維持される（図５参照）。
【００６６】
ランプセット９は空間４４に収納される。その結果、クリアランスＤは所定値（０〜０．３）ｍｍが維持され、ランプセット９の挿入、引き出し作業が容易となる。
【００６７】
以上述べた構成の第１の特徴をまとめる。液晶セル３と、液晶セル３の下方に配置された導光板８と、導光板８の側面１９に対して平行に配置される線状ランプ１３と、線状ランプの両端を支持する第１ホルダ１１および第２ホルダ１２と、線状ランプ１３を一部覆い、かつ第１ホルダ１１および第２ホルダ１２を支持するランプリフレクタ１７とを備え第１ホルダ１１および第２ホルダ１２の各側部４３は、凸状の曲面が形成され、導光板８の平坦な側面１９と前記曲面４３が当接し、又は、近接する様に構成した。
【００６８】
第２の特徴をまとめる。線状ランプ１３の１端を支持する第１ホルダ１１において、長手方向に延在する中空の突出部１０を設け、ランプリフレクタ１７の断面はコ字状の１方の角を直線で面取りした形状であり、面取りした部分２５に突出部１０を配置し、端が線状ランプ１３の１端に設けられた電極２０ａに接続されたリード線１４は突出部１０の中空部分２０を通り、ランプリフレクタ１７の外側に沿って、線状ランプ１３の他端近傍まで延在する様に構成した。
【００６９】
第３の特徴をまとめる。液晶セル３が載置される枠部４２ａを有する枠体６を設け、枠部４２ａの下方に位置し、かつ導光板８が載置される裏板２９を設ける。突出部１０を有する第１ホルダ１１と、第２ホルダ１２と、線状ランプ１３と、ランプリフレクタ１７と、リード線１４を少なくとも有するランプセット９を設ける。導光板８と裏板２９とに位置決め手段を設ける。裏板２９の水平部３１と、裏板２９の垂直部３３と、枠部４２ａの裏面４２と、導光板８の側面１９とに囲まれた空間４４に、ランプセット９が収納されている。
【００７０】
同様に、裏板２９の水平部３２と、裏板２９の垂直部３５と、枠部の４２ａと、導光板８の側面２７とにより、囲まれた空間４４ａが構成される。
【００７１】
また、導光板８の凹部３８ａと、凸部３９ａ，４０ａと、裏板２９の立ち上がり部４１ａとにより、位置決め手段が構成されている。その結果、裏板２９に対し、導光板８はＹ１−Ｙ２方向に位置決めされ、導光板８の側面２７と、垂直部３５の内面との距離は、所定値が維持される。
【００７２】
他のランプセット２６は上記空間４４ａに収納される。その結果、クリアランスＤは所定値（０〜０．３）ｍｍに維持され、他のランプセット２６の挿入、引き出し作業は容易となる。
【００７３】
図６に示す様に、第１ホルダ１１において、導光板８に近接する位置にあり、かつ線状ランプ１３の長手方向（Ｘ１−Ｘ２方向）に対して、直角な方向に位置し、かつ奥側（Ｘ１方向）に位置する角４５が面取りされている（例えば、Ｒ０．５ｍｍ）。
【００７４】
更に、図６に示す様に、第１ホルダ１１において、導光板８に近接する位置にあり、かつ線状ランプ１３の長手方向（Ｘ１−Ｘ２方向）に対して、直角な方向に位置し、かつ手前側（Ｘ２方向）に位置する角４５ａが面取りされている（例えば、Ｒ０．３ｍｍ）。
【００７５】
そのため、ランプセット９を空間４４に挿入する時、第１ホルダ１１の角４５（面取りされた）が、導光板８の手前の角４６（図１参照）に当接することなく、スムーズに挿入できる。また、ランプセット９を空間４４から引き出す時、第１ホルダ１１の角４５ａ（面取りされた）が、導光板８の側面１９に対し、スムーズに移動するので、引き出し作業が容易となる。
【００７６】
図８に示す様に、第２ホルダ１２において、導光板８に近接する位置にあり、かつ線状ランプ１３の長手方向（Ｘ１−Ｘ２方向）に対して、直角な方向に位置する角４７が面取りされている（例えば、Ｒ０．３ｍｍ）。
【００７７】
即ち、第１ホルダ１１および第２ホルダ１２において、導光板８に近接する位置にありかつ線状ランプ１３の長手方向に対して直角な方向に位置する角４５，４５ａ，４７が面取りされている。
【００７８】
そのため、ランプセット９を空間４４に挿入する時、第２ホルダ１２の角４７（面取りされた）が、導光板８の手前の角４６（図１参照）に当接することなく、スムーズに挿入できる。
【００７９】
図５に示す様に、枠体６の所定の位置には、複数の内部に向かう突起４８が形成されている。裏板２９の所定の位置には、角孔４９が形成されている。各突起４８が各角孔４９に挿入される事により、裏板２９は枠体６に固定されている。
【００８０】
図５に示す様に、枠体６の所定の位置には、複数の外部に向かう突起５０が形成されている。前面枠２の所定の位置には、角孔５１が形成されている。各突起５０が各角孔５１に挿入される事により、前面枠２は枠体６に固定されている。
【００８１】
裏蓋３７はネジ等により、裏板２９に固定されている。以上の部品により、この液晶表示装置１は構成されている。
【図面の簡単な説明】
【００８２】
【図１】本発明を実施するための最良の形態に係る液晶表示装置１の分解斜視図である。
【図２】液晶表示装置１に用いられる枠体等の斜視図である。
【図３】上記枠体等の要部斜視図である。
【図４】液晶表示装置１に用いられるランプセットの斜視図である。
【図５】図１のＡ−Ａ断面図である。
【図６】図５のＢ−Ｂ断面図である。
【図７】液晶表示装置１に用いられる第２ホルダの背面図である。
【図８】上記第２ホルダの底面図である。
【符号の説明】
【００８３】
３  液晶セル
６  枠体
８  導光板
１１  第１ホルダ
１２  第２ホルダ
１３  線状ランプ
１７  ランプリフレクタ
１９  導光板の側面
４３  側部
【図１】
2006154360.tif 000003
【図２】
2006154360.tif 000004
【図３】
2006154360.tif 000005
【図４】
2006154360.tif 000006
【図５】
2006154360.tif 000007
【図６】
2006154360.tif 000008
【図７】
2006154360.tif 000009
【図８】
2006154360.tif 000010